(57)【要約】【課題】イメージセンサ移動方式密着型画像読み取り装置において、イメージセンサを原稿台ガラスへ密着させる機能を損なわず、且つイメージセンサを搭載するプリント配線板がアンテナとなって発生する放射ノイズを低減することにある。【解決手段】イメージセンサ移動方式密着型画像読み取り装置において、イメージセンサを搭載するプリント基板のＧＮＤを、安定なＧＮＤであるキャリッジに導通させる構造を設ける。【選択図】        図１
2004336233.tif 000002
【特許請求の範囲】
【請求項１】
原稿台ガラス下面においてイメージセンサを密着させて移動するために、光学系を備えた導電部材のキャリッジとイメージセンサの搭載された基板が、イメージセンサを固定する非導電部材のモールドを介して接続された画像読み取り装置において、
前記イメージセンサの搭載された基板と前記キャリッジ間に、所望の数の導通構造を持たせたことを特徴とする画像読み取り装置。
【請求項２】
原稿台ガラス下面においてイメージセンサを密着させて移動するために、光学系を備えた導電部材のキャリッジとイメージセンサの搭載された基板が、イメージセンサを固定する非導電部材のモールドを介して接続された画像読み取り装置において、
前記非導電部材のモールドに、前記イメージセンサの搭載された基板と前記キャリッジとを導通させる構造を、所望の数だけ持たせたことを特徴とする画像読み取り装置。
【発明の詳細な説明】
【０００１】
【発明の属する技術分野】
本発明は、デジタル複写機等イメージセンサを原稿台ガラス下面で密着させて移動する画像読み取り装置に関する。
【０００２】
【従来の技術】
デジタル複写機等における画像読み取り装置の構造は、原稿台ガラス下面においてミラーの搭載したキャリッジを移動させてイメージセンサで画像を読み取る、イメージセンサ固定方式縮小型画像読み取り装置と、原稿台ガラス下面においてイメージセンサを移動させて画像を読み取る、イメージセンサ移動方式密着型画像読み取り装置がある。図４にイメージセンサ固定方式縮小型画像読み取り装置構造の断面図を示し、図５にイメージセンサ移動方式密着型画像読み取り装置構造の断面図を示す。
【０００３】
図４において、４０６は画像読み取り装置筐体、４０１は原稿台ガラス、４０２は原稿面を照射するランプ、４０３ａは原稿からの反射光を第２のミラー方向へ反射させる第一のミラー、１０４  は第一のミラー及びランプを搭載した第一のキャリッジ、４０３ｂ，４０３ｃは第一のミラーによる反射光をイメージセンサ受光部まで反射させる第２、第３のミラー、４０４は第２、第３のミラーを搭載した第二のキャリッジ、４０５は第一のキャリッジが移動する際に軸となるガイドシャフト、４０７はレンズ、１０１はイメージセンサ、１０２はイメージセンサの搭載されたプリント配線板を示している。
【０００４】
図５において、１０１及び１０２はそれぞれイメージセンサ及びイメージセンサの搭載されたプリント配線板を示しており、１０４は、イメージセンサ及びランプ等の光学系を搭載するキャリッジを示している。
【０００５】
画像読み取り装置は、図５，図６のようにミラーもしくはイメージセンサ等の光学系を搭載したキャリッジを原稿台ガラス下面で移動させることで画像を読み取っている。通常、原稿台ガラス下面を移動するキャリッジは軽量化のために薄い板金で形成されることが多い。そのため、ＧＮＤ電位が不安定となりキャリッジがアンテナとして作用して放射ノイズが発生する問題がある。この問題に対して、特開平０６−３０１１２１に明記されているように、キャリッジと筐体間を車輪やブラシのような移動可能な導通部材を用いて接続することでＧＮＤを強化し、放射ノイズの発生を抑える提案がなされている。
【０００６】
【発明が解決しようとする課題】
しかしながら、画像読み取り装置の構造の中でイメージセンサ移動方式密着型画像読み取り装置の構造においては、原稿に光を照射し、その直接反射波を読み取るため、キャリッジにバネを設けてイメージセンサを原稿台ガラスに密着させる形態がある。イメージセンサを原稿台ガラスに密着させる形態の画像読み取り装置概略図を図６に示す。図６において、１０１は原稿台ガラスの画像を読み取るイメージセンサ、１０２はイメージセンサを搭載するプリント配線板、１０４はイメージセンサ及びランプ等の光学系を搭載し原稿台ガラス下面をガイドシャフト４０５に沿って移動するキャリッジ、４０６は画像読み取り装置筐体、６０３はキャリッジ両端を支えるレール、６０１はイメージセンサが原稿台ガラスに密着させるために設けた密着用バネ、６０２はイメージセンサを固定するモールドを示している。
【０００７】
この形態において、イメージセンサ及びイメージセンサの搭載された基板は、軽量性のためにモールド部材で固定されることが多い。モールド部材の多くは非導電性であるため、イメージセンサの搭載された基板のＧＮＤは安定なＧＮＤであるキャリッジから導通されず、不安定な電位となる。その結果、イメージセンサの搭載された長尺なプリント基板がアンテナとして作用し、放射ノイズを発生する問題があった。
【０００８】
そこで本発明の目的は、イメージセンサ移動方式密着型画像読み取り装置において、イメージセンサを原稿台ガラスへ密着させる機能を損なわず、且つイメージセンサを搭載するプリント配線板がアンテナとなって発生する放射ノイズを低減することにある。
【０００９】
【課題を解決するための手段】
前記課題を解決するために、本発明ではイメージセンサ移動方式密着型画像読み取り装置において、イメージセンサを搭載するプリント基板のＧＮＤを、安定なＧＮＤであるキャリッジに導通させる構造を設けることで達成される。
【００１０】
本発明のノイズ低減効果を図１及び図２を用いて説明する。図１はイメージセンサ移動方式密着型画像読み取り装置において、イメージセンサを搭載するプリント基板のＧＮＤをＧＮＤの安定なキャリッジに導通させるために、プリント基板を固定するモールドに導通構造を持たせた画像読み取り装置イメージ図を示している。また、図２は、図１の画像読み取り装置において、イメージセンサ、イメージセンサの搭載されたプリント基板、導通構造を持たせたモールドのイメージ図である。
【００１１】
図１において、イメージセンサの搭載されたプリント配線板１０２を固定するモールド１０３に対して導通構造を設けている。モールドの導通構造は図２に示すように、プリント配線板に設けたＧＮＤパターン２０１に対して、モールドに設けた導通用ＧＮＤパターン２０２を接続する。導通用ＧＮＤパターン２０２はバネ接続用ＧＮＤパターン２０３と接続されているため、バネ接続用ＧＮＤパターンに導通用バネ１０５をキャリッジ１０４に接続すれば、イメージセンサの搭載されたプリント配線板のＧＮＤをＧＮＤ電位の安定なキャリッジに導通することが可能になる。この構造によって、プリント配線板のＧＮＤ電位が安定となり、放射ノイズの発生を抑制することが可能となる。また特に長尺なプリント配線板１０２においては、プリント配線板の長手方向で定在波の起こる可能性がある。そこで、図２に示すように導通構造を両端及び中央に配置することで、放射ノイズの発生する周波数を高い周波数にシフトさせることが可能になる。
【００１２】
尚、図２に示した導通用バネは一箇所のＧＮＤパターンに複数本設けても良い。
【００１３】
尚また、図２に示した導通用バネはらせん状に限らず、どのような形状でも良い。
【００１４】
【発明の実施の形態】
（第一の実施の形態）
図１はイメージセンサ移動方式密着型画像読み取り装置において、本発明が施された第一の実施の形態を示している。本図において、イメージセンサを搭載するプリント基板のＧＮＤをＧＮＤの安定なキャリッジに導通させるために、イメージセンサ１０１の搭載されたプリント配線板１０２を固定するモールド１０３に導通構造を設けている。
【００１５】
（第二の実施の形態）
図３はイメージセンサ移動方式密着型画像読み取り装置において、本発明が施された第二の実施の形態を示している。本図において、イメージセンサを搭載するプリント基板のＧＮＤをＧＮＤの安定なキャリッジに導通させるために、イメージセンサを搭載するプリント配線板１０２に導電部材３０１を接続し、導電部材３０１をキャリッジに接続することで導通構造を設けている。ここで導通部材３０１はイメージセンサを原稿台ガラスに密着させる機能を損なわないように充分な弾性を持つ。
【００１６】
【発明の効果】
以上本発明によれば、イメージセンサ移動方式密着型画像読み取り装置において、イメージセンサを原稿台ガラスへ密着させる機能を損なわずに、イメージセンサを搭載するプリント基板のＧＮＤをＧＮＤの安定なキャリッジに導通させる構造を設けることによって放射ノイズを低減する。
【図面の簡単な説明】
【図１】本発明による導通構造をモールドに設けた画像読み取り装置イメージ図。
【図２】本発明による導通構造を持たせたモールドイメージ図。
【図３】本発明による導通構造を導通部材によって実現した画像読み取り装置イメージ図。
【図４】イメージセンサ固定方式縮小型画像読み取り装置概略図。
【図５】イメージセンサ移動方式密着型画像読み取り装置概略図。
【図６】イメージセンサを原稿台ガラスに密着させる形態の画像読み取り装置概略図。
【符号の説明】
１０１  イメージセンサ
１０２  プリント配線板
１０３  導通構造を備えたモールド
１０４  第一のキャリッジ
１０５  導通用バネ
２０１  プリント配線板ＧＮＤパターン
２０２  モールドにおける導通用ＧＮＤパターン
２０３  導通用バネ接続用ＧＮＤパターン
３０１  導電部材
４０１  原稿台ガラス
４０２  ランプ
４０３  ミラー
４０４  第２のキャリッジ
４０５  ガイドシャフト
４０６  画像読み取り装置筐体
４０７  レンズ
６０１  イメージセンサ密着用バネ
６０２  モールド
６０３  レール
【図１】
2004336233.tif 000003
【図２】
2004336233.tif 000004
【図３】
2004336233.tif 000005
【図４】
2004336233.tif 000006
【図５】
2004336233.tif 000007
【図６】
2004336233.tif 000008